(57)【要約】【課題】重量物の画像形成装置を容易に安定して階段運搬できる運搬用取っ手を構成した画像形成装置の構造体を提供することにある。【解決手段】画像形成装置の構造体Ａにおいて、装置最下部近傍と装置最上部近傍の対角線上に運搬用取っ手２、１を設けた画像形成装置の構造体。【選択図】        図１
2004357064.tif 000002
【特許請求の範囲】
【請求項１】
画像形成装置の構造体において、装置最下部近傍と装置最上部近傍の対角線上に夫々運搬用取っ手を設けたことを特徴とする画像形成装置の構造体。
【請求項２】
本体ベース面よりやや上部に水平状態での運搬に使用する運搬用取っ手を設けたことを特徴とする請求項１記載の画像形成装置の構造体。
【請求項３】
前記構造体は、パイプフレーム構造となっており、このパイプフレーム内部に前記運搬取っ手が収納されることを特徴とする請求項１記載の画像形成装置の構造体。
【請求項４】
前記運搬用取っ手が前記パイプフレームに回動可能にピン等で固定され、前記運搬用取っ手を使用しない場合は自重で前記パイプフレーム内部に収納されることを特徴とする請求項１記載の画像形成装置の構造体。
【請求項５】
外観品質を向上させるために前記運搬用取っ手に外装部材を付けたことを特徴とする請求項１記載の画像形成装置の構造体。
【請求項６】
装置下部の前記運搬用取っ手が前記本体ベース内に収納されることを特徴とする請求項２記載の画像形成装置の構造体。
【発明の詳細な説明】
【０００１】
【発明の属する技術分野】
本発明は、複写機、デジタル複写機等の画像形成装置の構造体に関する。
【０００２】
【従来の技術】
画像形成装置等の中型、或いは大型の電子機器の運搬を容易にするための構造は従来から知られている（例えば、特許文献１参照）。
【特許文献１】特開２０００−１３８４７０公報
【０００３】
【発明が解決しようとする課題】
図５は従来の重量のある画像形成装置の運搬状態を示す概略図である。従来の画像形成装置では、運搬用取っ手３が４ヶ所共同じ高さに配置されている（特許文献１）ため、階段を上り下りする運搬時に画像形成装置が不安定になり運搬しにくいという欠点があった。
即ち、図５に示すように、従来の構造の運搬用取っ手３を使用して重量のある画像形成装置を階段で運搬するとき、階段の上側での作業者は不自然な姿勢を強いられて作業の安定性を欠いていた。
しかし、階段運搬時の安定性を重視した取っ手の構造とすると、水平状態での運搬時の安定性が低下する。したがって、階段運搬時および水平状態での運搬時の両方に効果的で安定した構造が求められていた。
そこで本発明の目的は、上記の問題点を解決するために、重量物の画像形成装置を容易に安定して階段運搬できる運搬用取っ手を構成した画像形成装置の構造体を提供することにある。
【０００４】
【課題を解決するための手段】
前記の課題を解決するために、請求項１記載の発明では、画像形成装置の構造体において、装置最下部近傍と装置最上部近傍の対角線上に運搬用取っ手を設けた画像形成装置の構造体を最も主要な特徴とする。
請求項２記載の発明では、本体ベース面よりやや上部に水平状態での運搬に使用する運搬用取っ手を設けた請求項１記載の画像形成装置の構造体を主要な特徴とする。
請求項３記載の発明では、パイプフレーム構造となっており、このパイプフレーム内部に前記運搬取っ手が収納される請求項１記載の画像形成装置の構造体を主要な特徴とする。
請求項４記載の発明では、前記運搬用取っ手が前記パイプフレームに回動可能にピン等で固定され、前記運搬用取っ手を使用しない場合は自重で前記パイプフレーム内部に収納される請求項１記載の画像形成装置の構造体を主要な特徴とする。
請求項５記載の発明では、外観品質を向上させるために前記運搬用取っ手に外装部材を付けた請求項１記載の画像形成装置の構造体を主要な特徴とする。
請求項６記載の発明では、装置下部の前記運搬用取っ手が前記本体ベース内に収納される請求項２記載の画像形成装置の構造体を主要な特徴とする。
【０００５】
【発明の実施の形態】
以下、図面により本発明の実施の形態を詳細に説明する。図１は本発明による画像形成装置の構造体の実施の形態を示す斜視図である。図２は図１の画像形成装置の構造体の左方下方部分を示す拡大図である。図３は図１の画像形成装置の構造体を示す断面図である。
画像形成装置の構造体Ａは、その運搬用取っ手１を装置の一方の側面の上部に一対設けており、運搬用取っ手１とは反対側面の下部には取っ手１とは異なる形状の運搬用取っ手２を一対備えている。つまり、取っ手１と取っ手２とは、装置の対角線上に沿った位置に配置されている。さらに従来通り水平状態での運搬も考慮した、またはオプションの給紙バンク設置時に使用する運搬用取っ手３を本体ベース６面よりやや上部に、前記異なる形状の運搬用取っ手２より上方に設けている。運搬用取っ手３は、取っ手２を設けた側面のみならず、取っ手１を設けた側面側にも同一高さ位置に配置する。
また、構造体Ａを構成する骨格材料は、パイプフレーム構造となっており、このパイプフレーム４の一部を切り欠いた穴４ａ内部に運搬用取っ手１、３が収納される。また、運搬用取っ手１、３は、パイプフレーム４に回動可能にピン５等で固定されている。ただし、装置下部の運搬用取っ手２のみは本体ベース６内に収納される構造となっている。即ち、取っ手２は、本体ベース６の側面に設けた穴６ａから矢印で示す方向へ出入れ自在に構成されている。
画像形成装置の構造体Ａでは、運搬用取っ手１、３はばね等の機構を用いなくても自重で下方に倒れて自動的に穴４ａ内に収納されるため、運搬用取っ手１、３が出っ張っていることでの怪我などを防止できる。つまり、使用時のみ人手により各取っ手１、３を引き出して把持すればよく、把持を解消すれば自重により穴４ａ内に収容される。
また、画像形成装置の構造体Ａは外観品質を向上させるために運搬用取っ手１、３に外装部材７を取り付けることもできる。
【０００６】
次に機能について説明する。本体ベース６面よりやや上部にある運搬用取っ手３は水平状態での運搬またはオプションの給紙バンク設置時に使用する。この運搬用取っ手３はパイプフレーム４に回動可能にピン５等で固定されているため、自重によりパイプフレーム４の運搬用取っ手３が収納される穴４ａに収納されている。
運搬用取っ手３を使用するときは上方に回転して引き出せば運搬用取っ手３を使用できる。また、運搬用取っ手３がパイプフレーム４内に収納されるため、非運搬時の省スペース設計が可能となる。
したがって、運搬用取っ手３を使用しないときはばね等の機構を用いなくても運搬用取っ手３が自動的に収納されるため運搬用取っ手３が出っ張っていることで、手足などをぶつける怪我などを防止できる。
装置最下部近傍と装置最上部近傍の対角線上にある運搬用取っ手２と運搬用取っ手１は階段移動時に使用する。装置最下部の運搬用取っ手２を本体ベース６内から引き出し、装置最上部近傍の運搬用取っ手１は前記と同様に運搬用取っ手１を上方に回転してやれば運搬用取っ手１を使用できる。
図４は本発明による画像形成装置の構造体を実施している装置の階段移動時の状態を示す概略図である。階段移動時についてであるが、従来は図５で示した如く移動時の重心位置が高くなり、非常に不安定な状態で運んでいた。
しかし、本発明の運搬用取っ手２と運搬用取っ手１を持って運ぶと図４の如く装置を上側の運搬者側に傾倒させた状態で運ぶことができ、重心位置も低くなり、安定した状態で非常に楽に運ぶことができる。
図３に示すように前記運搬用取っ手１、３に外装部材７を固定することで、運搬用取っ手１、３の収納時には大きな運搬用取っ手の穴４ａがなくなるため、外装カバー８の外観品質が向上する。
【０００７】
【発明の効果】
以上説明したように、請求項１によれば、装置最下部近傍と装置最上部近傍の対角線上に運搬用取っ手を設けているので、階段運搬時には装置を寝かせた重心位置の低い状態で運ぶことができ、安定した状態で非常に楽に運ぶことができる。
請求項２によれば、従来通り水平状態での運搬も考慮した運搬用取っ手を構成しているので、水平状態での運搬またはオプションの給紙バンク設置時にも使い勝手が悪くならない。
請求項３によれば、構造体がパイプフレーム構造となっており、このパイプフレーム内部に運搬取っ手が収納されるため、画像形成装置の省スペース設計が可能となる。
請求項４によれば、運搬用取っ手がパイプフレームに回動可能にピン等で固定され、取っ手を使用しない場合は自重で装置内部に収納されるため、手足などをぶつける怪我などを防止できる。
請求項５によれば、運搬用取っ手に外装部材を付けたため、外観品質が向上する。
請求項６によれば、装置最下部近傍と装置最上部近傍の対角線上に運搬用取っ手を設けているので、階段運搬時には装置を寝かせた重心位置の低い状態で運ぶことができ、安定した状態で非常に楽に運ぶことができる。
【図面の簡単な説明】
【図１】本発明による画像形成装置の構造体の実施の形態を示す斜視図。
【図２】図１の画像形成装置の構造体の左方下方部分を示す拡大図。
【図３】図１の画像形成装置の構造体を示す断面図。
【図４】本発明による画像形成装置の構造体を実施している装置の階段移動時の状態を示す概略図。
【図５】従来の重量のある画像形成装置の運搬状態を示す概略図。
【符号の説明】
Ａ  画像形成装置の構造体
１  運搬用取っ手
２  運搬用取っ手（異なる形状の）
３  運搬用取っ手
４  パイプフレーム
５  ピン
６  本体ベース
７  外装部材
【図１】
2004357064.tif 000003
【図２】
2004357064.tif 000004
【図３】
2004357064.tif 000005
【図４】
2004357064.tif 000006
【図５】
2004357064.tif 000007